(57)【要約】【課題】着用型投影装置を提供する。【解決手段】本発明の少なくとも１つの実施例により、着用型投影装置を提供する。この着用型投影装置は、第１構造体と第２構造体とを備え、前記第１構造体と第２構造体が可動に接続され、且つ前記第１構造体が前記第２構造体に対して回転可能であり、前記第１構造体と第２構造体にそれぞれ投影手段が設置される。該着用型投影装置はそれぞれ異なる方向に映像を投影することができ、それにより着用型投影装置の適応範囲が幅広くなる。【選択図】図１
2020016902.tif 000002
【特許請求の範囲】
【請求項１】
第１構造体と第２構造体とを備え、前記第１構造体と第２構造体が可動に接続され、且つ前記第１構造体と前記第２構造体が相対回転可能に設定される着用型投影装置であって、
前記第１構造体と前記第２構造体にそれぞれ投影手段が設置される着用型投影装置。
【請求項２】
前記第１構造体が第１環状体、前記第２構造体が第２環状体である請求項１に記載の着用型投影装置。
【請求項３】
前記着用型投影装置が投影指輪である請求項１又は２に記載の着用型投影装置。
【請求項４】
前記第１環状体の開口部と前記第２環状体の開口部が嵌合接続される請求項１〜３のいずれかに記載の着用型投影装置。
【請求項５】
前記第１環状体と第２環状体が接続される２つの開口部にそれぞれ噛合する歯状構造が設置される請求項４に記載の着用型投影装置。
【請求項６】
前記第１環状体における歯状構造の歯先部に電極が設置され、
前記第２環状体における歯状構造の歯元部に電極が設置される請求項５に記載の着用型投影装置。
【請求項７】
前記第１環状体の歯状構造と前記第２環状体の歯状構造が噛合する状態で、前記第１環状体における歯状構造の歯先部に設置される電極と前記第２環状体における歯状構造の歯元部に設置される電極が電気的に接続される請求項６に記載の着用型投影装置。
【請求項８】
指又はタッチペンによる投影スクリーンとしてのオブジェクトへのタッチ動作を検出するように設置されるタッチ検出モジュールをさらに備える請求項１〜７のいずれかに記載の着用型投影装置。
【請求項９】
前記タッチ検出モジュールはレーザー発生器とレーザーセンサとを備え、前記レーザー発生器は、投影スクリーンとしてのオブジェクトの表面に投影されるレーザーを発生させ、キーボードパターンを有し、投影スクリーンとしてのオブジェクトの表面に指又はタッチペンでキー操作を行うと、レーザーにより指又はタッチペンにスポットが形成され、レーザーセンサは、指又はタッチペンにおけるスポットがキーボードパターンに対してマッピングされる位置を検知する請求項８に記載の着用型投影装置。
【請求項１０】
前記タッチ検出モジュールは前記第１構造体と前記第２構造体の少なくとも一方に設置される請求項８に記載の着用型投影装置。
【請求項１１】
前記タッチ検出モジュールはレーザー発生器とレーザーセンサとを備え、前記レーザー発生器は、投影スクリーンとしてのオブジェクトの表面に投影されるレーザーを発生させるように設置され、前記レーザーセンサは、前記レーザーにより投影スクリーンを操作する指又はタッチペンに発生するスポットに基づいて指又はタッチペンのタッチ位置を判定するように設置される請求項８に記載の着用型投影装置。
【請求項１２】
それぞれ前記第１環状体と第２環状体における投影手段に電気的に接続され、前記投影手段とほかの装置との通信及び／又は電気的接続を実現するための無線モジュールをさらに備える請求項２〜１１のいずれかに記載の着用型投影装置。
【発明の詳細な説明】
【技術分野】
【０００１】
本発明は、着用型投影装置に関する。
【背景技術】
【０００２】
現在、人々は科学技術にますます依存するようになり、スマートフォン、ノートパソコン、タブレットが生活の隅々まで浸透しており、技術製品が小型化とインテリジェント化の傾向へ発展しつつある。着用可能型技術製品は従来装置の一部の機能を従来の着用型物品に融合した装置であり、人々の手足を最大限に解放して人体と機器のさらなる結合を実現する。
【発明の概要】
【発明が解決しようとする課題】
【０００３】
投影装置をメガネに集積するという技術案が提案されているが、従来の投影メガネの投影方向が一定であり、投影メガネの適用範囲が制限される。
【課題を解決するための手段】
【０００４】
本発明の少なくとも１つの実施例は、着用型投影装置を提供する。この着用型投影装置は、
第１構造体と第２構造体とを備え、前記第１構造体と第２構造体が可動に接続され、且つ前記第１構造体が前記第２構造体に対して回転可能であり、
前記第１構造体と第２構造体にそれぞれ投影手段が設置される。
本開示の一実施例において、前記第１構造体が第１環状体、前記第２構造体が第２環状体である。
本開示の一実施例において、前記着用型投影装置が投影指輪である。
本開示の一実施例において、前記第１環状体の開口部と前記第２環状体の開口部が嵌合接続される。
本開示の一実施例において、前記第１環状体と第２環状体が接続される２つの開口部にそれぞれ噛合する歯状構造が設置される。
本開示の一実施例において、前記第１環状体における歯状構造の歯先部に電極が設置され、
前記第２環状体における歯状構造の歯元部に電極が設置される。
【０００５】
本開示の一実施例において、前記第１環状体の歯状構造と前記第２環状体の歯状構造が噛合する状態で、前記第１環状体における歯状構造の歯先部に設置される電極が前記第２環状体における歯状構造の歯元部に設置される電極に電気的に接続される。
【０００６】
本開示の一実施例において、前記着用型投影装置は、指又はタッチペンによる投影スクリーンとしてのオブジェクトへのタッチ動作を検出するタッチ検出モジュールをさらに備える。
【０００７】
本開示の一実施例において、前記タッチ検出モジュールは、レーザー発生器とレーザーセンサとを備え、前記レーザー発生器は投影スクリーンとしてのオブジェクトの表面に投影されるレーザーを発生させ、キーボードパターンを有し、投影スクリーンとしてのオブジェクトの表面に指又はタッチペンでキー操作を行うと、レーザーにより指又はタッチペンにスポットが形成され、レーザーセンサは指又はタッチペンにけるスポットがキーボードパターンに対してマッピングされる位置を検知する。
本開示の一実施例において、前記タッチ検出モジュールは前記第１構造体と前記第２構造体の少なくとも一方に設置される。
【０００８】
本開示の一実施例において、前記タッチ検出モジュールは、レーザー発生器とレーザーセンサとを備え、前記レーザー発生器は、投影スクリーンとしてのオブジェクトの表面に投影されるレーザーを発生させるように設置され、前記レーザーセンサは、前記レーザーにより投影スクリーンを操作する指又はタッチペンに発生するスポットに基づいて指又はタッチペンのタッチ位置を判定するように設置される。
【０００９】
本開示の一実施例において、前記着用型投影装置は、
それぞれ前記第１環状体と第２環状体における投影手段に電気的に接続され、無線技術で前記投影手段とほかの装置との通信及び／又は電気的接続を実現するための無線モジュールをさらに備える。
【００１０】
本開示の実施例に係る着用型投影装置によれば、２つの回転可能な構造体にそれぞれ投影手段が設置されることにより、それぞれ異なる方向に映像を投影することができ、それにより着用型投影装置の適応範囲が幅広くなり、且つ使いやすくなる。
【図面の簡単な説明】
【００１１】
本開示の実施例の技術案をさらに詳しく説明するために、以下、実施例の図面を簡単に説明する。勿論、以下説明される図面は本開示のいくつかの実施例であり、本開示を限定するものではない。
【図１】本開示の一実施例に係る着用型投影装置の構成模式図である。
【図２】図１の着用型投影装置が指に着用される場合の模式図である。
【図３】本開示の別の一実施例に係る着用型投影装置の分解模式図である。
【図４】本開示の実施例に係る着用型投影装置の部分拡大模式図である。
【図５】本開示の実施例に係るブロック模式図である。
【発明を実施するための形態】
【００１２】
本発明の目的、技術案及び利点をさらに明確にするために、以下、本開示の実施例の図面を参照しながら、本開示の実施例の技術案を明確かつ完全に説明する。勿論、説明される実施例は本開示の実施例の一部であり、実施例のすべてではない。説明される本開示の実施例に基づき、当業者が進歩性のある労働を必要とせずに得られるほかの実施例は、本開示の保護範囲に属する。
【００１３】
図１に示されるように、本開示の実施例は着用型投影装置を提供する。この着用型投影装置は、第１構造体１と第２構造体２とを備え、第１構造体１と第２構造体２が可動に接続され、且つ第１構造体１と第２構造体２が相対回転可能であり、第１構造体１と第２構造体２にそれぞれ投影手段３が設置される。
【００１４】
例えば、第１構造体１と第２構造体２がいずれも環状体である時、２つの環状体はほぼ同一の中心軸線を有し、第１構造体１と第２構造体２が上記中心軸線を軸として相対回転可能である。上記着用型投影装置は投影指輪であってもよい。該投影指輪は様々な用途に適用できる。例えば、図１と図２に示されるように、投影指輪を指に着用し、第１構造体１と第２構造体２を回転させ、一方の投影手段３が着用者の手のひらの方向に面し、他方の投影手段３が着用者の手の甲の方向に位置する壁又は机に面するようにする。２つの投影手段３は同一の映像又は異なる映像を投影することができる。例えば、着用者が容易に説明できるように、着用者の手のひらに投影される映像がノート付きのスライドとなる。一方、表示内容がさらに直感的で、ほかの人が容易に視認できるように、壁に投影される映像がノートなしのスライドとなる。又は、第１構造体と第２構造体における２つの投影手段を同一方向に調整し、一方の投影手段が机に映像を投影し、他方の投影手段が壁に映像を投影するようにしてもよい。
【００１５】
この実施例に係る着用型投影装置によれば、２つの相対回転可能な構造体にそれぞれ投影手段が設置されることにより、それぞれ異なる方向に映像を投影することができ、それにより着用型投影装置の適応範囲が幅広くなり、且つ使いやすくなる。
例えば、図３に示されるように、上記第１構造体は第１環状体４、上記第２構造体は第２環状体５である。
例えば、上記着用型投影装置は投影指輪である。
例えば、第１環状体４の開口部と第２環状体５の開口部が嵌合接続される。
【００１６】
他の一実施例において、第１環状体４と第２環状体５が接続される２つの開口部にそれぞれ噛合する歯状構造が設置される。例えば、図３に示されるように、第１環状体４の下端に歯状構造４１が設置され、第２環状体５の上端に歯状構造５１が設置される。第１環状体４と第２環状体５の相対位置関係が調整された後、噛合する歯状構造により第１環状体４と第２環状体５が回転しないことを確保でき、それにより投影時の安定性を向上させる。
【００１７】
さらに他の一実施例において、第１環状体４における歯状構造の歯先部に電極が設置され、第２環状体５における歯状構造の歯元部に電極が設置される。第１環状体４と第２環状体５がどのように回転しても、回転終了後の静止状態において、第１環状体４における歯状構造の歯先部と第２環状体５における歯状構造の歯根は常に同一の相対位置関係となるので、上記２つの電極の異なる接点の正確な対応性を確保でき、それにより第１環状体４における電子部品と第２環状体５における電子部品との電気的接続を実現する。
【００１８】
図４は第１環状体４と第２環状体５の部分拡大模式図である。図４は第１環状体４における歯状構造４１の歯先部に電極４１１が設置され、第２環状体５における歯状構造５１の歯元部に電極５１１が設置されることを示す。前記第１環状体４の歯状構造と前記第２環状体５の歯状構造が噛合する状態で、前記第１環状体４における歯状構造の歯先部に設置される電極４１１と前記第２環状体５における歯状構造の歯元部に設置される電極５１１は電気的に接続可能である。
【００１９】
例えば、電池によりこれらの両電極を介して第１環状体と第２環状体における投影手段に同時給電してもよい、また、第１環状体４と第２環状体５にそれぞれ電池が設けられてもよい。また、第１環状体４と第２環状体５にそれぞれ無線充電装置が設けられ、無線充電により電力を得てもよい。
【００２０】
本発明のさらに他の一実施例において、上記着用型投影装置は指による投影スクリーンとしてのオブジェクトへのタッチ動作を検出するタッチ検出モジュールを備えてもよい。該タッチ検出モジュールは、投影手段と組み合わせて投影スクリーンとしてのオブジェクトで仮想タッチを実現することができる。
【００２１】
例えば、図５はいずれかの環状体のブロック模式図を模式的に示す。図５に示されるように、タッチ検出モジュールは投影手段に接続されてもよく、それにより組み合わせて投影スクリーンとしてのオブジェクトで仮想タッチを実現する。
【００２２】
本発明の一実施例において、上記タッチ検出モジュールは、レーザー発生器とレーザーセンサとを備えてもよい。レーザー発生器は、投影スクリーンとしてのオブジェクトの表面に投影されるレーザーを発生させる。キーボードパターンを有し、投影スクリーンとしてのオブジェクトの表面に指又はタッチペンでキー操作を行うと、レーザーにより指又はタッチペンにスポットが形成される。レーザーセンサは指又はタッチペンにおけるスポットがキーボードパターンに対してマッピングされる位置を検知する。レーザー発生器とレーザーセンサは、上記第１環状体と第２環状体の一方又は両方に設置されてもよい。レーザー発生器、レーザーセンサ及び上記いずれかの投影手段は仮想キーボード投影手段を構成できる。例えば、投影手段がキーボードパターンを手のひらに投影する。レーザー発生器が手のひらの表面に投影されるレーザー、例えば可視光又は赤外線を発生させる。キーボードパターンを有する手のひらに指又はタッチペンでキー操作を行うと、レーザーにより指又はタッチペンにスポットが形成される。レーザーセンサは、指又はタッチペンにおけるスポットがキーボードパターンに対してマッピングされる位置を検知し、押されたキーを取得し、それにより仮想キーボード投影を実現する。例えば、前記タッチ検出モジュールはレーザー発生器とレーザーセンサとを備える。前記レーザー発生器は投影スクリーンとしてのオブジェクトの表面に投影されるレーザーを発生させるように設置される。前記レーザーセンサは前記レーザーにより投影スクリーンを操作する指又はタッチペンに発生するスポットに基づき指又はタッチペンのタッチ位置を判定するように設置される。
【００２３】
例えば、上記着用型投影装置は、それぞれ上記第１環状体における投影手段及び第２環状体における投影手段に電気的に接続され、前記投影手段が無線技術でほかの装置との通信及び／又は電気的接続を実現する無線モジュールをさらに備えてもよい。例えば、無線モジュールは第１環状体に設置されてもよい。該無線モジュールは、第１環状体における歯状構造の歯先部における電極及び第１環状体における投影手段に接続され、第２環状体における歯状構造の歯根における電極が第２環状体における投影手段に接続される。無線モジュールがこれらの両電極により第２環状体における投影手段に電気的に接続される。勿論、無線モジュールは第２環状体に設置されてもよい。上記と同様に、無線モジュールは上記歯状構造における電極により第１環状体における投影手段に電気的に接続される。無線モジュールが設置された投影指輪は無線技術で投影手段とほかの装置との通信及び／又は電力的接続を実現することができる。例えば、携帯電話のスクリーンの画像を手のひら及び／又は壁に直接出力する。該無線モジュールは上記レーザー発生器とレーザーセンサに電気的に接続されてもよい、例えば、携帯電話のスクリーンの画像出力とキー入力がいずれも手のひらで実現される。勿論、有線接続方式により投影手段とほかの装置との接続を実現してもよい。
【００２４】
例えば、図５はいずれかの環状体のブロック模式図を模式的に示す。図５に示されるように、無線モジュールは投影手段に接続されてもよく、それにより投影手段とほかの装置との接続を実現する。無線モジュールがタッチ検出モジュールに接続されてもよく、それによりタッチ検出モジュールとほかのモジュール又は装置との通信等を実現する。
【００２５】
本実施例に係る着用型投影装置は、２つの回転可能な構造体にそれぞれ投影手段が設置されることにより、それぞれ異なる方向に映像を投影することができ、それにより着用型投影装置の適応範囲が幅広くなり、且つ使いやすくなる。また、レーザー発生器とレーザーセンサを増設して仮想キーボードの投影を実現することにより、画像出力とキー入力を同時に実現する。また、無線モジュールにより外部装置との接続を実現し、着用型投影装置がさらに使いやすくなる。
【００２６】
以上、投影指輪を例として説明したが、当業者は、本開示の実施例に係る着用型投影装置がそれに限定されず、例えば投影ブレスレット、投影腕時計、投影メガネ等のほかの装置であってもよい。
上記は本開示の例示的な実施形態であり、本開示の保護範囲を限定するものではなく、本開示の保護範囲が添付される請求の範囲により決められる。
【００２７】
本開示は２０１４年４月２８日に提出される中国特許出願Ｎｏ．２０１４２０２１２８７９．１の優先権を主張し、ここで上記中国特許出願により開示されるすべての内容を本開示の一部として援引する。
【符号の説明】
【００２８】
１  第１構造体
２  第２構造体
３  投影手段
４  第１環状体
５  第２環状体
４１  歯状構造
５１  歯状構造
４１１  電極
５１１  電極
【図１】
2020016902.tif 000003
【図２】
2020016902.tif 000004
【図３】
2020016902.tif 000005
【図４】
2020016902.tif 000006
【図５】
2020016902.tif 000007
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
第１構造体と第２構造体とを備え、前記第１構造体と第２構造体が可動に接続され、且つ前記第１構造体と前記第２構造体が相対回転可能に設定される着用型投影装置であって、
前記第１構造体と前記第２構造体にそれぞれ投影手段が設置され、
前記第１構造体が第１環状体、前記第２構造体が第２環状体であり、
前記第１環状体の開口部と前記第２環状体の開口部が嵌合接続され、
前記第１環状体と第２環状体が接続される２つの開口部にそれぞれ噛合する歯状構造が設置され、
前記第１環状体における歯状構造の歯先部に電極が設置され、
前記第２環状体における歯状構造の歯元部に電極が設置され、
前記第１環状体の歯状構造と前記第２環状体の歯状構造が噛合する状態で、前記第１環状体における歯状構造の歯先部に設置される電極と前記第２環状体における歯状構造の歯元部に設置される電極が電気的に接続され、
前記第１構造体上の前記投影手段と前記第２構造体上の前記投影手段は２つの異なる方向に映像を投影する、
着用型投影装置。
【請求項２】
前記着用型投影装置が投影指輪である請求項１に記載の着用型投影装置。
【請求項３】
指又はタッチペンによる投影スクリーンとしてのオブジェクトへのタッチ動作を検出するように設置されるタッチ検出モジュールをさらに備える請求項１または２に記載の着用型投影装置。
【請求項４】
前記タッチ検出モジュールはレーザー発生器とレーザーセンサとを備え、前記レーザー発生器は、投影スクリーンとしてのオブジェクトの表面に投影されるレーザーを発生させ、キーボードパターンが形成されるオブジェクトの表面に指又はタッチペンでキー操作を行うと、レーザーにより指又はタッチペンにスポットが形成され、レーザーセンサは、指又はタッチペンにおけるスポットがキーボードパターンに対してマッピングされる位置を検知する請求項３に記載の着用型投影装置。
【請求項５】
前記タッチ検出モジュールは前記第１構造体と前記第２構造体の少なくとも一方に設置される請求項３に記載の着用型投影装置。
【請求項６】
前記タッチ検出モジュールはレーザー発生器とレーザーセンサとを備え、前記レーザー発生器は、投影スクリーンとしてのオブジェクトの表面に投影されるレーザーを発生させるように設置され、前記レーザーセンサは、前記レーザーにより投影スクリーンを操作する指又はタッチペンに発生するスポットに基づいて指又はタッチペンのタッチ位置を判定するように設置される請求項３に記載の着用型投影装置。
【請求項７】
それぞれ前記第１構造体と第２構造体における前記投影手段に電気的に接続され、前記投影手段とほかの装置との通信及び／又は電気的接続を実現するための無線モジュールをさらに備える請求項１〜６のいずれかに記載の着用型投影装置。
【外国語明細書】
2020016902000001.pdf